(57)【要約】【課題】ジャックに接続されるプラグの抜き差しを容易に行えるようにする。【解決手段】モジュラプラグ１０は、ジャックと係合するラッチ８０を有する接合部１４と、接合部に対して滑動可能に係合するハウジング１２を有する。ラッチ８０は、二つのフィンガ９２，９４を有し、フィンガはハウジングに設けられたウェッジに係合している。また、二本のフィンガの途中には、ジャックと係合するラッチ面１１６，１１８が設けられている。モジュラプラグ１０がジャックに差し込まれている状態で、ハウジングの後端を引くと、まずハウジングが接合部に対して摺動する。このとき、二つのフィンガが、ウェッジにより押されて閉じ合わさる方向に動き、ジャックとラッチ面の係合が解除される。ハウジングを引く動作により、ラッチが解除され、プラグを容易に引き抜くことができる。【選択図】図１
2006134858.tif 000002
【特許請求の範囲】
【請求項１】
軸方向ラッチアクチュエータであって、
ジャックと係合するラッチを有する接合部と、
前記接合部に沿って滑動し、前記接合部と係合する滑動可能なハウジングと、
を有し、
前記滑動可能なハウジングが第１の方向に滑動すると前記接合部はラッチ位置となり、
前記滑動可能なハウジングが第２の方向に滑動すると前記接合部は未ラッチ位置となり、
前記滑動可能なハウジングはロックウェッジを有し、
前記ラッチは、第１のフィンガと、第２のフィンガとを更に有し、
前記第１のフィンガは、第１の端部と、第２の端部とを有し、前記接合部と前記第１の端部において接続されて前記接合部の面の上を延び、
前記第２のフィンガは、前記第１のフィンガに並んで配置されて、前記接合部と、前記第１のフィンガと同じ側の端部において接続され、さらに、前記第２のフィンガは、前記接合部の前記面の上を延びる、
軸方向ラッチアクチュエータ。
【請求項２】
前記ロックウェッジは、前記接合部がラッチ位置にある場合に前記二つのフィンガの上面の間に実質的に配置される、請求項１に記載のアクチュエータ。
【請求項３】
前記ロックウェッジは、前記接合部が偶発的にラッチから外れることを防止する、請求項２に記載のアクチュエータ。
【請求項４】
前記接合部が未ラッチ位置にある場合、前記ロックウェッジが前記フィンガの上面から実質的に離れて配置される、請求項１に記載のアクチュエータ。
【請求項５】
前記第１のフィンガおよび第２のフィンガが前記第１の端部において互いに接合する、請求項１に記載のアクチュエータ。
【請求項６】
軸ラッチアクチュエータであって、
カム面を有しジャックと係合するラッチを有する接合部と、
前記接合部が滑動可能に収容し、前記カム面と滑動可能に係合して前記ラッチと前記ジャックとの係合を解くように構成された滑動可能なハウジングと、
を有する軸方向ラッチアクチュエータ。
【請求項７】
前記滑動可能なハウジングが前記接合部の周囲を囲う、請求項６に記載のアクチュエータ。
【請求項８】
前記滑動可能なハウジングはカバーを有し、前記カバーは、前記ラッチと前記カム面において係合する延長部を有する、請求項６に記載のアクチュエータ。
【請求項９】
前記滑動可能なハウジングは、前記ラッチと、前記カム面において係合する延長部を有する、請求項６に記載のアクチュエータ。
【発明の詳細な説明】
【技術分野】
【０００１】
本発明は、対象物に、部材を差し込むことによりラッチによりロックし、さらに差し込まれた状態から部材を引き抜く際に、そのロックを解除する機構に関する。
【背景技術】
【０００２】
本出願は、先に出願された非仮出願である米国出願第１０／４０８，９７６号（２００３年４月８日出願）の一部継続出願である。前記先の非仮出願を言及して援用する。この非仮出願は、先に出願された仮出願である米国仮出願第６０／３７５，７８６号（２００２年４月２６日出願）の出願日の恩恵を主張する。この先の仮出願を言及して援用する。
【０００３】
普及している多くネットワークシステム、即ちＥｔｈｅｒｎｅｔ（登録商標）等は、共通のモジュラプラグを使う必要がある。モジュラプラグは、互いに反対側の第１および第２の端部を有する。第１の端部はケーブルによって終端し、第２の端部はモジュラコネクタに接続してモジュラ接続インターフェイスを形成している。モジュラプラグはモジュラジャックに接続する。従来の方法によるとモジュラプラグは、図４０に示すように、スナップラッチングシステムを介してジャックに接続される。ユーザはラッチを押して、モジュラプラグとジャックとの係合を解くことが求められる。
【発明の開示】
【発明が解決しようとする課題】
【０００４】
多数のモジュラプラグが密集、近接している場合（例えば、パッチパネル）、モジュラプラグのそれぞれが互いに隣接して配置されるので、ユーザがラッチにたどり着いて特定のモジュラプラグを外すことは難しい。
【課題を解決するための手段】
【０００５】
従来例の上述およびその他の欠点および欠陥は、軸方向ラッチアクチュエータによって克服または緩和される。例示的な形態では、軸方向ラッチアクチュエータは、ジャックと係合するラッチを有する接合部と、前記接合部に沿って滑動し、前記接合部と係合する滑動可能なハウジングと、を有し、前記滑動可能なハウジングが第１の方向に滑動すると前記接合部はラッチ位置となり、前記滑動可能なハウジングが第２の方向に滑動すると前記接合部は未ラッチ位置となる。ハウジングはロックウェッジも有する。この実施形態のラッチは互いに隣接する第１および第２のフィンガを有する。これらのフィンガは接合部の上に延び、接合部に接続された第１の端部を有する。
【０００６】
別の例示的な形態では、軸方向ラッチアクチュエータは、ジャックと係合しカム面を有するラッチを有する接合部と、接合部を収容するように構成された滑動可能なハウジングとを有する。接合部は滑動可能なハウジング内で滑動し、ラッチとジャックとの係合を解くようにカム面と滑動可能に係合するように構成されている。
【発明を実施するための最良の形態】
【０００７】
図面を参照する。これらの図面では、同様の要素には同じ番号が付されている。
【０００８】
図１はモジュラプラグ１０を示す。プラグ１０は、滑動可能なハウジング１２と、接合部１４とを有する。接合部１４は、その一部がハウジング１２内に収容される。
【０００９】
次に図１〜図５を参照する。ハウジング１２は、第１の端部１６と、反対側の第２の端部１８と、中央部分２０とを有する。第１の端部１６および第２の端部１８は共に開口部２２、２４を有し、それらの間にチャンバ２６が設けられている。チャンバ２６は、第１の端部１６から第２の端部１８への通路となっている。第１の端部１６は細長いので、オペレータがハウジング１２を把持することができる。開口部２２は、ケーブル３０を収容する寸法である。
【００１０】
第２の端部１８は接合部１４を収容する寸法である。第２の端部１８は第１の側面３２と、第２の側面３４と、第３の側面３６とを有する。第１の側面３２は第３の側面３６に対してほぼ平行であり、第２の側面３４は第１の側面３２と第３の側面３６の両方に対してほぼ垂直に位置している。
【００１１】
ハウジング１２は接合部１４を取り囲むような面を有する。これらの面はチャンバ２６内にあって、接合部１４と係合する。接合部を取り囲む面は以下のようである。つまり、第１の段差端部３８が第１の側面３２と第２の側面３４の角に位置し、第２の段差端部４０が第２の側面３４と第３の側面３６の角に位置する。第１の段差端部３８と第２の段差端部４０は、互いに鏡面対称となっており、その間に、開口部２４において第２の側面３４に沿って切り欠き部４２を形成する。第１のウェッジ４４および第２のウェッジ４６はチャンバ２６内で、第１の段差端部３８および第２の段差端部４０のそれぞれの真後ろに位置する。第１の側面３２および第３の側面３６の両方は長孔５０を有する。ハウジング１２は概して第２の端部１８から第１の端部１６にかけてテーパ状になっており、第２の端部１８が第１の端部１６より大きい。
【００１２】
第２の端部１８は、傾斜した延長部５８も有する。これによって第２の端部１８から中央部分２０にかけて外形が滑らかに変化するので、プラグ１０をケーブル領域を介して引っ張った時に、プラグ１０がひっかからないようにしている。
【００１３】
図１および図６〜図１０を参照する。接合部１４は、第１の端部７２と、これと反対側の第２の端部７４とを有する本体７０を有する。本体７０は、第１の側面７６と、第２の側面７８と、第３の側面７９も有する。第１の側面７６は第３の側面７９に対してほぼ平行であって、第２の側面７８が、第１の側面７６と第３の側面７９との両方に対してほぼ垂直に位置する。第１の側面７６および第３の側面７９の両方は一段引っ込んだ部分８２を有する。プラグストップ８４が、第１の側面７６および第３の側面７９の両方の第２の端部７４の一段引っ込んだ部分８２に設けられている。
【００１４】
接合部１４は、ベース９０において第１の端部７２に接続するラッチ８０を有する。ラッチ８０は２本のフィンガ９２，９４を有する。これらは、ベース９０から第２の側面７８の上に延びている。フィンガは、互いに向き合う傾斜面９６，９８を有する。フィンガ９２，９４は、第１の端部７２において互いに最も近づいており、ベース９０から第２の側面７８の上を先端１０２，１０４に向かって延びるにつれて互いに離れていく。フィンガ９２，９４と第２の側面７８との間に隙間１０９がある。したがって、フィンガ９２，９４はベース９０において接続しているだけで、第２の側面７８の上を延びているにすぎないので、ハサミを開閉するように動かすことができる。この時、フィンガの先端１０２，１０４が最も大きく動く。
【００１５】
フィンガ９２，９４は上面１０６，１０８も有し、フィンガ９２，９４のほぼ中間部１１４には空洞１１０，１１２が形成されている。空洞１１０，１１２を形成することによりラッチ面１１６，１１８が形成される。これらの面はフィンガ９２，９４の上面１０６，１０８に対して概して垂直である。フィンガ９２，９４の端子端１０２，１０４は外面１２０，１２２と、傾斜面１２４，１２６とを有する。
【００１６】
図１〜図１１を参照して、プラグ１０を以下のように組み立てる。つまり、接合部１４の第２の端部７４をハウジング１２の開口部２４に挿入する。本体７０を開口部２４に向けて滑動させ、プラグストップ８４を長孔５０に挿入する。プラグストップ８４は、傾斜面１３０とタブ面１３２とを有する。プラグストップ８４を、傾斜面により開口を広げるようにして開口部２４に挿入すると、タブ面１３２が長孔５０内に留まる。プラグストップ８４が長孔５０内に収容されると、フィンガの先端１０２，１０４は切り欠き部４２に嵌る。これが、図１に示すような未ラッチ位置である。
【００１７】
プラグストップ８４によって、接合部１４が滑動可能なハウジング１２に移動可能に接続された状態に維持される。つまり、接合部１４は滑動可能なハウジング１２内を滑動できるが、プラグストップ８４によって、ユーザがモジュラプラグ１０をジャックから引き抜いた場合でも、接合部１４が滑動可能なハウジング１２から引き抜かれないようにする。
【００１８】
引き続き本体７０を開口部２４およびチャンバ２６内にむけて滑動させると、プラグストップ８４は長孔５０に沿って滑動し、フィンガ９２，９４もウェッジ４４，４６に沿って滑動する。傾斜面１２４，１２６がそれぞれウェッジ４４，４６に係合すると、フィンガ９２，９４は外側方向に移動し始めて互いに離れていく。つまり、ウェッジ４４，４６や端子端１０２，１０４の形状のために、フィンガ９２，９４はそれぞれ、外向きの横方向に第１の側面７６および第３の側面７９に向かって動かされることになる。図１１は、プラグがラッチ位置にある様子を示す。この時、ハウジング１２が一段引っ込んだ部分８２を完全に囲い、フィンガ９２，９４は、互いに引き離された状態にある。
【００１９】
図１〜図１３を参照する。プラグ１０は以下のように動作する。プラグ１０が、図１に示すような未ラッチ位置にあるときに、ユーザはケーブル３０のハウジング１２の第１の端部１６を持って接合部１４をジャック１４０に押し込む（図１３を参照）。このジャック１４０は、例えばＲＪ−４５ジャックである。一旦、接合部１４がジャック１４０に挿入されると、ユーザはケーブル３０は放し、第１の端部１６を持ったままにする。そして、第１の端部１６をジャック１４０に向けて押し付ける。すると、ハウジング１２がジャック１４０に向かって滑動し、プラグストップ８４が長孔５０内を滑動し、フィンガ９２，９４も、切り欠き部４２に挿入されるように滑動する。このようにしてフィンガ９２，９４が滑動して切り欠き部４２内に挿入されると、ウェッジ４４，４６が傾斜面１２４，１２６と係合する。これによってフィンガ９２，９４は、図１１に示すように、外向き横方向に押される。これがラッチ位置である。この時、ラッチ面１１６，１１８がジャック１４０内の面と係合してプラグ１０をジャック１４０内にロックする。したがって、ユーザがハウジング１２を放してケーブル３０だけを握ってケーブルをジャック１４０から引き抜こうとしても、プラグ１０はジャック１４０から抜けない。
【００２０】
ユーザが第１の端部１６を持ってジャック１４０から抜き出すように外側に引っ張った場合、プラグ１０とジャック１４０との係合が解かれて、プラグ１０をジャック１４０から解放することができる。つまり、ユーザが第１の端部１６を握って引っ張ると、フィンガの先端１０２，１０４はウェッジ４４，４６に沿って滑動する。これによって、フィンガ９２，９４は、一緒に押される。フィンガ９２，９４が一緒に押されると、ラッチ面１１６，１１８とジャック１４０の面との係合が解かれて、プラグ１０はジャック１４０から解放される。これが未ラッチ位置である。
【００２１】
したがって、多数のケーブルを一緒にして一群にした場合、オペレータは、ハウジング１２の第１の端部１６を握ってハウジング１２を引っ張り、ハウジング１２をジャック１４０から離すように滑動させることができる。ハウジング１２がジャック１４０から離れるように引っ張られると、ラッチ８０とジャック１４０との係合が解かれ、接合部１４はジャック１４０から解放される。
【００２２】
図１４〜図１６は、滑動可能なハウジング１２の代替的な実施形態を示す。この実施形態では、第１の端部１６がないので、ユーザは中央部分２０を握ってプラグ１０を（図１参照）ジャック１４０に挿入するだろう（図１３参照）。更に、中央部分２０は、互いに離れるようにスイングして開くする２つのスイング片１５０，１５２を有する。この型のハウジングは、滑動可能なハウジング１２によって簡単にケーブル３０をクランプできる（図１参照）。スイング片１５０，１５２は複数のスナップラッチ１５４によって接合される。スナップラッチ１５４は、スイング片１５０，１５２に設けられた延長部１５６を有し、これがスイング片１５０，１５２において凹領域１５８に嵌る。
【００２３】
図１７〜図２５は、モジュラプラグ１０の代替的な実施形態を示す。第１の実施形態と同様、プラグ１０はハウジング１２と接合部１４とを有し、ハウジング１２は第１の端部１６と、反対側の第２の端部１８と、中央部分２０とを有する。第２の端部１８は開口部２４を有し、接合部１４を受容する寸法である。
【００２４】
ハウジング１２は、本明細書に記載された差異以外は第１の実施形態と類似している。したがって、この実施形態の説明では、第１の実施形態と同じ部分は全て同じ部品番号で示す。第２の端部１８は第１の側面３２と、第２の側面３４と、第３の側面３６とを有する。第１の側面３２は第３の側面３６に対してほぼ平行であって、第２の側面３４が、第１の側面３２および第３の側面３６の両方に対してほぼ垂直に位置している。第２の側面３４は開口部２０２と、カバー２０４とを有する。第２の端部１８の端面２１６には四角い長孔２２０が形成されている。カバー２０４は、係合爪２０６と、２つの突起部２０８と、ストップ２０９（図２４に示す）とを有する。２つの突起部２０８が開口部２０２の第１の縁部２１０の下を滑動し、係合爪２０６が、開口部２０２の、反対側の第２の縁部２１４のリップ部２１２の下で係合する。更に、側面３２、３６には第１の実施形態のような長孔５０ではなくて、傾斜した縁部２２２が形成されている。
【００２５】
また、接合部１４は、本明細書に記載された差異以外は第１の実施形態と類似する。つまり、接合部１４は、第１の端部７２と、反対側の第２の端部７４とを有する本体７０を有する。本体７０は、第１の側面７６と、第２の側面７８と、第３の側面７９も有する。
【００２６】
この実施形態では、ラッチ８０は、ベース９０において第２の端部７４に接続される。ラッチ８０は、ベース９０から第２の側面７８の上に延びる２本のフィンガ２３０，２３４を有する。フィンガ２３０，２３４は概して平行に、ベース９０から離れて第２の面の上を先端２３６，２３８に延びる。この実施形態では、概して平行に配置されたフィンガ２３０，２３４を示すが、フィンガ２３０，２３４が適切に機能するためには互いに平行でなければならないということはない。さらに、フィンガ２３０，２３４はベース９０に接続されているだけで、第２の側面７８の上を延びているにすぎないので、ハサミを開閉するように動かすことができる。この時、フィンガの先端２３６，２３８が最も大きく動く。
【００２７】
フィンガ２３０，２３４は上面２４０，２４２も有し、これらは上面２４８，２５０に続く傾斜面２４４，２４６を有する。したがって、フィンガの先端２３６，２３８はベース９０におけるフィンガ２３０，２３４より厚い。フィンガの先端２３６，２３８の近くには、上面２４８，２５０から掘り下げるようにして形成された空洞２６０，２６２が形成されている。空洞２６０，２６２を形成することによりラッチ面２６４，２６６が形成される。これらは、上面２４８，２５０に対して概して垂直である。更に、各々のフィンガ２３０，２３４上の空洞２６０，２６２は互いに鏡面対称となっている。
【００２８】
カバー２０４はストップ２０９を有する。これは、カバー２０４をハウジング１２に接続した場合に、フィンガ２３０，２３４の間に位置する。ストップ２０９は、フィンガ２３０，２３４と、壁２１３と、フィンガ２３０，２３４の後端部とによって形成された空洞２１１の中に延びる。空洞２１１は、接合部１４の第２の側面７８の中に向かって設けられる。ストップ２０９は、図２４および図２５に示す通り、空洞２１１の中で滑動できる。ストップ２０９は、プラグストップ８４と同じ機能を有する。ストップ２０９によって、接合部１４を滑動可能なハウジング１２に移動可能に接続した状態に維持する。つまり、接合部１４は滑動可能なハウジング１２の中で滑動できるが、ユーザがモジュラプラグ１０とジャックとの係合を解いた場合でも、ストップ２０９によって、接合部１４が滑動可能なハウジング１２から抜けないようにしている。
【００２９】
フィンガ２３０，２３４は、それぞれの外側に沿った中間点の周辺に位置するカム面２７０，２７２も有する。
【００３０】
図１７〜図２５を参照して、プラグ１０を以下のように組み立てる。つまり、カバー２０４をハウジング１２から外す。接合部１４の第２の端部７４をハウジング１２の開口部２４に挿入する。この時、ベース９０が孔２２０の内部に延びる。接合部１４を滑動してハウジング内に収め、傾斜面２４４，２４６が端部面２１６に当接するようにする。最初に突起部２０８を開口部２４内で滑動させてカバーを開口部２０２に嵌合し、次に係合爪２０６をリップ部２１２の下でスナップする。突起部２０８は、図２４に示す通り、カム面２７０，２７２に沿って保持される。これがモジュラプラグ１０のラッチ位置である。
【００３１】
カバー２０４を定位置に固定した状態で、ハウジング１２は接合部１４に対して矢印２８０の方向に滑動できる。ハウジング１２が第２の端部７４に向かって滑動すると、突起部２０８は、図２５に示すように、カム面２７０，２７２に沿って滑動して、カム面２７０，２７２の縁部に達する。突起部２０８がカム面２７０，２７２に沿って滑動するにつれて、フィンガ２３０，２３４はそれぞれ押される。これがモジュラプラグ１０の未ラッチ位置である。
【００３２】
図１３および図１７〜図２５を参照する。プラグ１０は以下のように動作する。プラグ１０をジャックに接合するために、プラグを、図２５に示すような未ラッチ位置にして、図２４に示すようにジャック内に挿入してラッチ位置としてもよく、あるいは、図２４に示すようにプラグ１０がラッチ位置にある場合、ユーザはハウジング１２の第１の端部１６を握って接合部１４をジャック１４０内に押し込む（図１３を参照）。ラッチ面２６４，２６６がジャック１４０内の面と係合してプラグ１０をジャック１４０にロックするまで、接合部１４を滑動させる。
【００３３】
ユーザが第１の端部１６を握ってカバー２０４を接合部１４の第１の端部７２から離すように滑動させると、プラグ１０とジャック１４０との係合が解かれて、プラグ１０をジャック１４０から解放することができる。ハウジング１２を第２の端部７４に向けて滑動するとフィンガ２３０，２３４はそれぞれに押され、ジャック面がラッチ面２６４，２６６から解放されるので、接合部１４はもはやジャック１４０と係合しなくなる。これによってプラグ１０はジャック１４０から解放される。これがモジュラプラグ１０の未ラッチ位置である。
【００３４】
図２６〜図２７は、滑動可能なハウジング１２の代替的な実施形態を示す。この実施形態のハウジング１２は、図１７、図１８および図２０に示すハウジング１２と類似しているが、ウェッジ２９０が付加されたことで、フィンガ２３０，２３４をラッチ位置にロックし易くなったことが異なる。この実施形態では、滑動可能なハウジング１２は、第２の端部１８から延びるウェッジ２９０を有する。ウェッジ２９０は端面２１６の上面に設けられ、端面２１６に対して実質的に垂直な方向に突起している。ウェッジ２９０は傾斜面２９１，２９２を有する。
【００３５】
図１３および図１７〜図２７を参照する。プラグ１０は以下のように動作する。プラグ１０をジャックと接合するために、プラグを、図２７に示すような未ラッチ位置に置き、ジャック１４０に挿入することで、図２６に示すようなラッチ位置としてもよく。あるいは、プラグ１０が、図２６に示すようなラッチ位置にある場合、ユーザはハウジング１２の第１の端部１６を握って接合部１４をジャック１４０に挿入する（図１３を参照）。ラッチ面２６４，２６６がジャック１４０内の面と係合してプラグ１０がジャック１４０内にロックされるまで、接合部１４をジャック１４０内に滑動する。ユーザがハウジング１２を接合部１４の第１の端部７２に向けて滑動すると、ウェッジ２９０の傾斜面２９１，２９２が上面２４８，２５０の間に挿入される。したがって、図２６に示すようにプラグ１０がラッチ位置にある場合、ウェッジ２９０はフィンガ２３０，２３４の間に位置し、これらを効果的にラッチ位置にロックする。
【００３６】
ユーザが第１の端部１６を握ってハウジング１２を接合部１４の第１の端部７２から離すように滑動させると、プラグ１０とジャック１４０との係合が解かれて、プラグ１０をジャック１４０から離すことができる。ハウジング１２を第２の端部７４に向かって滑動させると、ウェッジ２９０はフィンガ２３０，２３４の間にある自己位置から引っ張られるので、フィンガ２３０，２３４はそれぞれに押され、ジャック面をラッチ面２６４，２６６から解放できる。そのため、接合部１４はジャック１４０と係合しなくなり、これによってプラグ１０をジャック１４０から解放する。これはモジュラプラグ１０の未ラッチ位置である。
【００３７】
図２８〜図３７は、滑動可能なハウジング１２の代替的な実施形態を示す。この実施形態では、滑動可能なハウジング１２は開いているので、上面４０２と底面４０４がある。更に、別個のカバーはなく（別個のカバー２０４がある図１８を参照）、ストップ２０９が上面４０２から突起している。上面４０２をヒンジ４０６によって底面に接続してもよい。上面４０２はスナップフック４１０，４１２，４１４によって底面４０４に固定される。これらのスナップフック４１０，４１２，４１４は全て上面４０２から延びているが、底面４０４から延びるようにすることもできる。スナップフックを開口部４１６，４１８，４２０に挿入する。これらの開口部は全て、対応するスナップフックを収容する寸法であり、底面４０４に設けられている。更に、底面はコネクタ４２４を有する。コネクタ４２４は底面４０４から延びており、上面４０２に設けられた開口部４２６に挿入される。
【００３８】
滑動可能なハウジング１２を接合部１４と共に組み立てる場合、接合部１４を底面４０４内に置き、上面４０２を接合部１４の上で閉じる。一旦、上面４０２を底面４０４に対して堅く固定すると、接合部は、滑動可能なハウジング１２から滑り出ることができない。ストップ２０９によって、接合部１４が滑動可能なハウジング１２から滑り出ることを防止しているからである。滑動可能なハウジング１２のこの実施形態は、図１３および図１７〜図２５を参照して説明した方法と同様に動作する。
【００３９】
図３８および図３９は、モジュラプラグ１０の代替的な実施形態を示す。この実施形態では、接合部１４はベース９０から延びるラッチ５０２を有する。ラッチ５０２は、ラッチ５０２が接合部の第２の側面７８から離れるように屈曲する屈曲位置５０４を有する。ラッチ５０２は端部５０６に向かって延びる。滑動可能なハウジング１２は窓５０８を有し、この窓５０８にラッチ５０２の端部５０６が挿入される。
【００４０】
図３８〜図３９に示すモジュラプラグ１０を以下の方法で組み立てる。接合部１４をチャンバ２６内に滑動させることで、接合部１４を滑動可能なハウジング１２のチャンバ２６に挿入する。端部５０６は窓５０８を通って滑動する。端部５０６が窓５０８に挿入されると、滑動可能なハウジング１２の前面５１０がラッチ５０２の屈曲位置５０４に達するまで、モジュラプラグ１０は未ラッチ位置にある。この時点でモジュラプラグ１０は、ジャックと接合する準備ができている。接合部１４をジャック内に挿入し、ユーザが滑動可能なハウジング１２を接合部１４に沿って継続的に滑動させ、前面５１０が屈曲位置５０４に来るようにする。これがラッチ位置である。一旦、モジュラプラグ１０をラッチ位置に設定した後、ユーザは滑動可能なハウジング１２を握ってハウジング１２を反対方向に滑動させる。ユーザが滑動可能なハウジング１２を引っ張ると窓５０８のカム面５１２がラッチ５０２を押し下げるので、接合部１４とジャックとの係合が解かれる。滑動可能なハウジング１２は、プラグストップ８４に係合する長孔５０を有する。
【００４１】
図面に示す接合部はＲＪ−４５プラグであって、これは８つの接点を有し、銅ワイヤの４本のツイスト対を有するケーブと共に使用されることが好適である。軸ラッチアクチュエータの利点の１つは、変更されていない標準的なアウトレットと接合できることである。つまり、ジャックの面をジャック開口部によってフラッシュ（flush）して、モジュラプラグがジャックの面に直接当接するようにする。図１３を参照。接合部がＲＪ−４５でないジャックと接合するように接合部を変更してもよく、軸ケーブル、単ファイバ、複式バイファ等の多様な種類のケーブルと共に用いてもよいことが分かる。したがって、本発明の実施形態は、ＲＪ−４５や銅ワイヤの設置に限定されない。
【００４２】
本発明を例示的な実施形態を参照しながら説明したが、当業者には、本発明の範囲を逸脱することなく多様な変更を行ったり、本発明の要素を均等物で代用したりしてもよいことが分かるだろう。更に、本発明の主要な範囲を逸脱することなく、本発明の教示に対する多くの変更を、特定の状況や物質に適用するために行ってもよい。したがって、本発明は、発明を実行するための、開示された特定の実施形態の制限されるわけではない。
【図面の簡単な説明】
【００４３】
【図１】未ラッチ位置にある、ケーブルに接続されたモジュラプラグの前方斜視図である。
【図２】図１のモジュラプラグの滑動可能なハウジングの後方斜視図である。
【図３】図１のモジュラプラグの滑動可能なハウジングの前方斜視図である。
【図４】図２〜図３の滑動可能なハウジングの半分の斜視図である。
【図５】図２の滑動可能なハウジンの内部の底面図である。
【図６】図１のモジュラプラグの接合部の前方斜視図である。
【図７】図６の接合部の上面図である。
【図８】図６の接合部の側面図である。
【図９】図６の接合部のラッチの側方斜視図である。
【図１０】図６の接合部のラッチの側方斜視図である。
【図１１】ラッチ位置にある、図１のモジュラプラグの前方斜視図である。
【図１２】ケーブルおよびパッチパネルに接続された複数のモジュラプラグの前方斜視図である。
【図１３】ケーブルおよびパッチパネルに接続された複数のモジュラプラグの背方斜視図である。
【図１４】滑動可能なハウジングの代替的な実施形態の後方斜視図である。
【図１５】開いた位置にある、図１４の滑動可能なハウジングの前方斜視図である。
【図１６】開いた位置にある、図１４の滑動可能なハウジングの後方斜視図である。
【図１７】モジュラプラグの代替的な実施形態の側方斜視図である。
【図１８】図１７のモジュラプラグの滑動可能なハウジングな側方斜視図である。
【図１９】図１７のモジュラプラグの接合部の側方斜視図である。
【図２０】図１７〜図１９のモジュラプラグの上面図である。
【図２１】図１７〜図１９のモジュラプラグの側面図である。
【図２２】図１７〜図１９のモジュラプラグの底面図である。
【図２３】図１７〜図１９のモジュラプラグの前面図である。
【図２４】ラッチ位置にある、図１７〜図１９のモジュラプラグの上側断面図である。
【図２５】未ラッチ位置にある、図１７〜図１９のモジュラプラグの上側断面図である。
【図２６】ウェッジを有する代替的な滑動可能なハウジングを有する、図２４のモジュラプラグの上方斜視図である。
【図２７】ウェッジを有する代替的な滑動可能なハウジングを有する、図２５のモジュラプラグの上方斜視図である
【図２８】図１７〜図１９のモジュラプラグのための、開いた位置にある滑動可能なハウジングの代替的な実施形態の前方斜視図である。
【図２９】図２８の滑動可能なハウジングの別の前方斜視図である。
【図３０】閉じた位置にある、図２８の滑動可能なハウジングの前方斜視図である。
【図３１】開じた位置にある、図２８〜図３０の滑動可能なハウジングの前面図である。
【図３２】開じた位置にある、図２８〜図３０の滑動可能なハウジングの上面図である。
【図３３】開いた位置にある、図２８〜図３０の滑動可能なハウジングの側面図である。
【図３４】図２８〜図３０の滑動可能なハウジングを有するモジュラプラグの斜視図である。
【図３５】図２８〜図３０の滑動可能なハウジングを有するモジュラプラグの側面図である。
【図３６】図２８〜図３０の滑動可能なハウジングを有するモジュラプラグの前面図である。
【図３７】図２８〜図３０の滑動可能なハウジングを有するモジュラプラグの上面図である。
【図３８】モジュラプラグの代替的な実施形態の上面図である。
【図３９】図３８のモジュラプラグの側面図である。
【図４０】モジュラプラグ接合部の従来のラッチシステムを示す図である。
【符号の説明】
【００４４】
１０  モジュラプラグ、１２  ハウジング、１４  接合部、４４  第１のウェッジ、４６  第２のウェッジ、５０  長孔、８０  ラッチ、８４  プラグストップ、９０  ベース、９２，９４  フィンガ、１０２，１０４  フィンガの先端、１１６，１１８  ラッチ面、１２４，１２６  傾斜面、２９０  ウェッジ。
【図１】
2006134858.tif 000003
【図２】
2006134858.tif 000004
【図３】
2006134858.tif 000005
【図４】
2006134858.tif 000006
【図５】
2006134858.tif 000007
【図６】
2006134858.tif 000008
【図７】
2006134858.tif 000009
【図８】
2006134858.tif 000010
【図９】
2006134858.tif 000011
【図１０】
2006134858.tif 000012
【図１１】
2006134858.tif 000013
【図１２】
2006134858.tif 000014
【図１３】
2006134858.tif 000015
【図１４】
2006134858.tif 000016
【図１５】
2006134858.tif 000017
【図１６】
2006134858.tif 000018
【図１７】
2006134858.tif 000019
【図１８】
2006134858.tif 000020
【図１９】
2006134858.tif 000021
【図２０】
2006134858.tif 000022
【図２１】
2006134858.tif 000023
【図２２】
2006134858.tif 000024
【図２３】
2006134858.tif 000025
【図２４】
2006134858.tif 000026
【図２５】
2006134858.tif 000027
【図２６】
2006134858.tif 000028
【図２７】
2006134858.tif 000029
【図２８】
2006134858.tif 000030
【図２９】
2006134858.tif 000031
【図３０】
2006134858.tif 000032
【図３１】
2006134858.tif 000033
【図３２】
2006134858.tif 000034
【図３３】
2006134858.tif 000035
【図３４】
2006134858.tif 000036
【図３５】
2006134858.tif 000037
【図３６】
2006134858.tif 000038
【図３７】
2006134858.tif 000039
【図３８】
2006134858.tif 000040
【図３９】
2006134858.tif 000041
【図４０】
2006134858.tif 000042